(57)【要約】【課題】従来のタンデム型カラー画像形成装置の小型化では、画像形成ユニットの位置決め精度確保や駆動精度確保が困難になり、カラー画像の色ズレ、色ムラが悪化している。さらに、画像形成ユニット自体が小型になっているため、ユーザが消耗品として交換する場合の、作業スペースがなくなり、操作性の悪化という問題となっている。【解決手段】複数の感光体ユニットが単独でそれぞれ中間転写体ユニットに位置決め保持される構成とする。【選択図】　図４
2004145060.tif 000002
【特許請求の範囲】
【請求項１】
カラー画像を形成するための異なる色のトナーを収容する複数の現像ユニットと各現像ユニットによりその上に形成された静電潜像が現像される感光体を有する複数の感光体ユニットと少なくとも２本以上のローラで張架支持されたベルトを有し、前記感光体上のトナー像を前記ベルト上に順次転写移行させる中間転写体ユニットとを有するカラー画像形成装置において、前記感光体ユニットが単独でそれぞれ前記中間転写体ユニットに位置決め保持され、装置本体への着脱において中間転写体ユニットと複数の感光体ユニットが一体的になされることを特徴とするカラー画像形成装置。
【請求項２】
前記複数の感光体を単一の筐体に固定支持し、感光体ユニット集合体を構成し、前記中間転写ユニットに対して前記感光体ユニット集合体を位置決め保持し、装置本体への着脱において中間転写体ユニットと感光体ユニット集合体が一体的になされることを特徴とするカラー画像形成装置。
【請求項３】
前記複数の感光体の内、１つの感光体を残し、残りの感光体全てを単一の筐体に固定支持し、感光体ユニット分割集合体を構成し、前記中間転写ユニットに対して単独の感光体ユニットと前記感光体ユニット集合体とをそれどれ位置決め保持し、装置本体への着脱において中間転写体ユニットと単独の感光体ユニットと感光体ユニット分割集合体が一体的になされることを特徴とするカラー画像形成装置。
【発明の詳細な説明】
【０００１】
【発明の属する技術分野】
本発明は、カラー画像形成装置に関し、特に複数の画像形成部で形成した画像を中間転写ベルト上で重ね合せ、重ね合せた画像を用紙に一括転写するカラー画像形成装置に関する。
【０００２】
【従来の技術】
従来、カラー電子写真方式の画像形成装置において、印字の高速化を図るため、画像形成部を並列に並べて、順次トナー像を重ねていき、ワンパスでカラー画像を形成する、いわゆるタンデム方式が採用されている。
【０００３】
ここでの画像形成部は静電潜像が形成される感光体ユニットと前記感光体に供給するトナーを収容する現像ユニットの一対をいうものとする。
【０００４】
しかしながら、画像形成部を並列に配置する構成のため、装置はその方向に長くなり、また、紙上に画像を重ねる方式では、定着ユニットも並列に配置されるため、さらに長くなってしまい、従来のタンデム式の装置は設置面積が大きくなってしまうという問題があった。
【０００５】
このような問題点を解決することを目的とする従来の技術としては、例えば、特開平１１−１５２２７号公報に記載の縦置きのタンデム方式の画像形成技術がある。
【０００６】
図７は、従来の画像形成装置の概要を示す説明図である。図７を参照すると、上記従来の技術は、垂直方向に配列された複数の感光体２８ａ（Ｂｋ）、２８ｂ（Ｃ）、２８ｃ（Ｍ）、２８ｄ（Ｙ）と、この複数の感光体２８ａ、２８ｂ、２８ｃ、２８ｄに各々異なる色の画像を形成する画像形成手段と、複数の感光体２８ａ、２８ｂ、２８ｃ、２８ｄに対向して配置されレジストローラ１２から送られてきた転写紙を吸着して搬送する搬送転写ベルト３７と、この搬送転写ベルト３７から搬送されてきた転写紙上の画像を定着させる定着ユニット１３とを有し、搬送転写ベルト３７により搬送される転写紙上に複数の感光体２８ａ、２８ｂ、２８ｃ、２８ｄ上の画像を重ねて転写する画像形成装置において、レジストローラ１２から複数の感光体２８ａ、２８ｂ、２８ｃ、２８ｄのうち転写紙が最初に到来する第１の感光体２８ａ（Ｂｋ）までの転写紙搬送経路長を通紙可能な最小サイズの転写紙の通紙方向長さの１／２より短くした画像形成装置が開示されている。
【０００７】
さらに、上記従来の技術には、レジストローラ１２から吸着手段までの転写紙搬送経路長を通紙可能な最小サイズの転写紙の通紙方向長さの１／２より短くした画像形成装置も開示されている。
【０００８】
さらに、上記従来の技術には、複数の感光体２８ａ（Ｂｋ）、２８ｂ（Ｃ）、２８ｃ（Ｍ）、２８ｄ（Ｙ）のうち転写紙が最後に到来する感光体２８ｄ（Ｙ）から定着ユニット１３までの転写紙搬送経路長を通紙可能な最小サイズの転写紙の通紙方向長さの１／２より短くした画像形成装置も開示されている。
【０００９】
このような従来の技術の縦置きのタンデム方式の画像形成装置では、装置下部に配設した給紙カセット９から転写紙を搬送転写ベルト３７に静電吸着して担持して垂直に搬送し、搬送しながら複数の画像形成ユニット３８ａ（Ｂｋ）、３８ｂ（Ｃ）、３８ｃ（Ｍ）、３８ｄ（Ｙ）から順に画像を記録媒体上に重ねてカラー画像を形成し、形成後、搬送転写ベルト３７から転写紙を離脱させ、定着器に搬送し、転写紙上のトナー画像を定着している。このような従来の技術では、比較的装置高さが増加するものの、設置面積を小さくできるといった効果が開示されている。
【００１０】
【特許文献１】
特開平１１−１５２２７号公報
【００１１】
【発明が解決しようとする課題】
しかしながら、上記従来の技術は、用紙などの記録媒体に直接トナー画像を転写し、複数色を重ねていく方式であるため、用紙（転写紙）の厚みや吸湿性などの条件が転写に影響するため、画像の安定再現性が不十分であるという問題点があった。
【００１２】
さらに、厚い用紙を通紙する時、用紙のこしが強くなるため搬送転写ベルトの静電吸着力よりもレジストローラまたは定着ユニットの用紙搬送力の方が大きくなり、吸着部で用紙のスリップが発生してカラー画像の色ずれという問題点もがあった。
【００１３】
さらに、連続的に印字していて、紙詰まり等のジャムが発生したとき、特に記録媒体に画像を順次転写する部分に記録媒体が残っているような場合、ジャム処理が困難で、かつ、カラー画像のため未定着トナーが多く付着している用紙をユーザが処理するので、手や服が汚れる、または空気中に舞って環境を汚染するという問題点もあった。
【００１４】
さらに、装置高さをできるだけ低くするため各色の画像形成ユニットの配置間隔をできるだけ狭くするために、構成部品の小型化、薄肉化、小径化を図る必要があり、画像形成ユニット自体や駆動手段の剛性不足によるカラー画像形成で最重要となる画像形成ユニットの位置決め精度確保や駆動精度確保が困難になり、カラー画像の色ズレ、色ムラが悪化している。
【００１５】
更に、画像形成ユニット自体が小型になっているため、ユーザが消耗品として交換する場合の、作業スペースがなくなり、操作性の悪化を招くという問題があった。
【００１６】
この発明は、以上の技術的課題を解決するためになされたものであって、その目的とするところは、装置全体を小型化しながら、用紙の厚みや吸湿性などの条件にかかわらず、安定した画質をでき、ジャム発生時の用紙の取り出し作業を容易化でき、消耗品としての画像形成ユニットの交換作業性を向上できるカラー画像形成装置を提供することにある。
【００１７】
【課題を解決するための手段】
この発明の請求項１に記載の発明の要旨は、カラー画像を形成するための異なる色のトナーを収容する複数の現像ユニットと各現像ユニットによりその上に形成された静電潜像が現像される感光体を有する複数の感光体ユニットと少なくとも２本以上のローラで張架支持されたベルトを有し、前記感光体上のトナー像を前記ベルト上に順次転写移行させる中間転写体ユニットとを有するカラー画像形成装置において、前記感光体ユニットが単独でそれぞれ前記中間転写体ユニットに位置決め保持され、装置本体への着脱において中間転写体ユニットと複数の感光体ユニットが一体的になされることを特徴とするカラー画像形成装置に存する。
【００１８】
また、この発明の請求項２に記載の発明の要旨は、前記複数の感光体を単一の筐体に固定支持し、感光体ユニット集合体を構成し、前記中間転写ユニットに対して前記感光体ユニット集合体を位置決め保持し、装置本体への着脱において中間転写体ユニットと感光体ユニット集合体が一体的になされることを特徴とするカラー画像形成装置に存する。
【００１９】
また、この発明の請求項３に記載の発明の要旨は前記複数の感光体の内、１つの感光体を残し、残りの感光体全てを単一の筐体に固定支持し、感光体ユニット分割集合体を構成し、前記中間転写ユニットに対して単独の感光体ユニットと前記感光体ユニット分割集合体とをそれどれ位置決め保持し、装置本体への着脱において中間転写体ユニットと単独の感光体ユニットと感光体ユニット分割集合体が一体的になされることを特徴とするカラー画像形成装置に存する。
【００２０】
【発明の実施の形態】
（実施の形態１）
本発明は、（１）複数の感光体ユニットが単独でそれぞれ中間転写体ユニットに位置決め保持される構成、（２）複数の感光体を単一の筐体に固定支持し、感光体ユニット集合体を構成し、中間転写体ユニットに対して前記感光体ユニット集合体を位置決め保持される構成、または（３）複数の感光体の内、１つの感光体を残し、残りの感光体全てを単一の筐体に固定支持し、感光体ユニット分割集合体を構成し、前記中間転写ユニットに対して単独の感光体ユニットと前記感光体ユニット分割集合体とをそれどれ位置決め保持される構成をとることで、装置本体への着脱において中間転写体ユニットと複数の感光体ユニットが一体的になされることで、装置全体を小型化しながら、画像形成ユニットとして十分な強度と精度を確保でき、用紙の厚みや吸湿性などの条件にかかわらず、安定した画質を得ることでき、ジャム発生時の用紙の取り出し作業を容易化できる。
【００２１】
さらに、消耗品として適度なサイズとなり、作業スペースも確保でき、画像形成ユニットの交換作業性を向上できる点に特徴を有している。
【００２２】
以下、本発明の実施の形態を図面に基づいて詳細に説明する。図１は、実施の形態１に係る画像形成装置の概要を示す説明図である。図１において、紙面左から順に転写ローラ３６、中間転写体ユニット１８、画像形成部（感光体ユニットと現像ユニット）５ａ〜５ｄ、光学ユニット１ａ〜１ｄが配置され、画像形成部５ａ〜５ｄの上方に定着ユニット１３、下方には供給用の用紙１０が収容される給紙カセット９が配置されている。
【００２３】
また、光学ユニット１（１ａ〜１ｄ）の上方には各色のトナーが収容されるトナーホッパー４０が配置されている。図２は実施の形態１で係る画像形成部周辺の概要を示す説明図である。
【００２４】
図１、図２において光学ユニット１ａ〜１ｄは、装置本体の後方（紙面右側）に各色に対応して複数個配置され、潜像を形成する感光体２８ａ〜２８ｄに対して略水平にレーザ光３６ａ〜３６ｄが照射される。構成部品としては図示外の半導体レーザ、ポリゴンミラー２及び結像レンズ３、反射ミラー４から構成されており、図示外の半導体レーザからの光をポリゴンミラー２で偏向走査し、結像レンズ３、反射ミラー４を介して感光体２８上の露光ポイントに光像を導くようにしたものである。
【００２５】
図２において本実施の形態で用いられる画像形成部５（５ａ〜５ｄ）について記述する。ここでいう画像形成部５は各色に対応する感光体ユニット８（８ａ〜８ｄ）と現像ユニット６（６ａ〜６ｄ）を単一の筐体に一体構成にしたものと仮定しても良いが、近年の消耗品の長寿命化という流れからすると部品寿命の等しいブロック毎に分割した方が理に適っているため、ここでは分割された感光体ユニット８（８ａ〜８ｄ）と現像ユニット６（６ａ〜６ｄ）の一対をいうものとする。
【００２６】
感光体ユニット８は、図に示すように、ドラム状の感光体２８と、この感光体２８を予め帯電する帯電ロール２９と、感光体２８上の残留トナーを除去する弾性体スポンジロールからなるローラクリーナ３０とを一体的にカートリッジ化したものであり、感光体２８の直径としては、画像形成部５（５ａ〜５ｄ）間隔の短寸化、転写性の面から今回は２０ｍｍという小径を採用した。
【００２７】
一方、ローラクリーナ３０は、導電性ウレタン発泡体のローラ形状をしており、トナーと逆極性の電圧を与えられながら感光体２８と周速差を有しながら感光体２８と同方向に接触回転して感光体２８上の残留トナーを掻き取っている。
【００２８】
現像ユニット６（６ａ〜６ｄ）は、現像ケース２７（２７ａ〜２７ｄ）を有し、この現像ケース２７内には所定の色トナー（図示せず）が含まれる現像剤を収容すると共に、現像ケース２７内には一対の現像剤攪拌部材としてのアジテータ２６（２６ａ〜２６ｄ）を配設し、また、現像ケース２７の感光体２８に対向する開口部位には現像ロール２５（２５ａ〜２５ｄ）を配設すると共に、現像ロール２５上への現像剤の層厚が規制される現像剤層厚規制ブレード（不図示）を設けたものである。
【００２９】
そして、現像ロール２５には図示外の現像バイアスが印加され、現像ロール上の現像剤（トナー）が感光体２８側へ飛翔するようになっている。また、感光体２８と現像ロールとの間のギャップ調整は現像ローラ両端部に同軸でしかも、回転自在のキャップコロ（不図示）で行なっている。
【００３０】
また、本実施の形態で用いられる現像ユニット６（６ａ〜６ｄ）は単独で装置本体の案内部（不図示）に合せ、装着しても良いが、交換メンテナンス性の向上のために、各現像ユニット６（６ａ〜６ｄ）は単一の筐体に変位可能に支持されている（以下、これを現像ユニット集合体２４と呼ぶ。）。現像ユニット集合体２４は感光体２８方向にスライド可能に装置本体の案内部（不図示）に位置決め固定されている。
【００３１】
また、中間転写体ユニット１８は少なくとも上下２本のローラ（下部の駆動ローラ２０及び上部の従動ローラ２１）で張架された状態で配置され、矢印Ａ方向に回転搬送される中間転写ベルト１９と、この中間転写ベルト１９の上から下に（紙面上方向から下方向に）搬送される面に沿って配置された複数の感光体２８（２８ａ〜２８ｄ）と、感光体２８上に形成されたトナー像を中間転写ベルト１９上に１次転写するバックアップローラ２２（２２ａ〜２２ｄ）が中間転写ベルト１９を挟んで感光体２８と対向する位置に配置されている。また、中間転写ベルト１９を張架保持する上部の従動ローラ２１に対向して中間転写ベルトクリーナ２３を配置されている。
【００３２】
さらに、本実施の形態では、前記複数の感光体ユニット８（８ａ〜８ｄ）が単独でそれぞれ前記中間転写体ユニット１８の両側面に配設されたユニット側板３３に形成された感光体案内溝３４（３４ａ〜３４ｄ）に感光体回転中心軸を沿わせて位置決め保持されるため、あたかも、複数の感光体ユニット８（８ａ〜８ｄ）と前記中間転写体ユニット１８よを一体カートリッジとして扱うことが可能になっている。
【００３３】
図３は実施の形態１に係る画像形成装置の消耗品着脱の概要を示す説明図である。図４は実施の形態１に係る画像形成部の取付け概要を示す説明図である。
【００３４】
図３に示すように、図中左側には開閉扉１７を有し、開閉扉１７を開放した際の装着用開口部を通じて、現像ユニット集合体２４、感光体ユニット８（８ａ〜８ｄ）と中間転写体ユニット１８の一体カートリッジを出し入れ可能としたものである。
【００３５】
開閉扉１７には、閉じた状態では中間転写ベルト１９を張架保持する上部の従動ローラ２１に対向する位置で中間転写体ベルト１９上のトナー像を用紙に一括転写する２次転写ロール３６が取付けられている。
【００３６】
本実施の形態では、図１に示すように、給紙カセット９には用紙１０を所定のタイミングで送出するフィードロール１１が設けられており、フィードロール１１と２次転写部位との間に位置する用紙搬送路には、入口側のニップ搬送手段としてレジストローラ１２が設けられると共に、この下流側には、光学式の用紙通過センサ（不図示）が配設されている。
【００３７】
本実施の形態では、用紙通過センサ（不図示）は用紙１０の先端を検出するものであり、この検出タイミングに基づいて例えば各画像形成部５（５ａ〜５ｄ）の光学ユニット１（１ａ〜１ｄ）の静電潜像の書き込みタイミングが制御されるようになっている。
【００３８】
更に、２次転写部位の下流側に位置する用紙搬送路には出口側のニップ搬送手段として定着ユニット１３が設けられる。この定着ユニット１３は、加熱ロール１５と加圧ロール１６からなるものである。
【００３９】
更に、この定着ユニット１３の下流側には用紙排出用の排出ロール１４が設けられ、ハウジングの上部には形成された収容トレイに排出用紙が収容されるようになっている。
【００４０】
次にカラー画像形成装置の動作について図１および図２を参照して説明する。図２を参照すると、本実施の形態のカラー画像形成装置では、帯電ロール２９によって感光体２８の表面が一様に帯電され、光学ユニット１によってレーザ光４１による光書き込みが行われ、感光体２８上に潜像が形成される。その後に、現像剤層厚規制ブレード（不図示）によって現像ロール２５上に一方の極性（プラスまたはマイナス）に帯電したトナー薄層が形成され、感光体２８と現像ロール２５が対向する現像部において、潜像がトナーによって現像され、感光体２８上にトナー像が形成される。
【００４１】
このようにして形成された感光体２８上のトナー像は、図１に示すように、上流の（配置上、上の）画像形成部５ａから順に中間転写ベルト１９にバックアップローラ２２に所定の電圧が印加されることで１次転写が実行され、複数色のトナー像が中間転写ベルト１９上に形成される。
【００４２】
給紙カセット９の用紙１０は、中間転写ベルト１９に対して、画像形成部５の反対側を通るように搬送され、中間転写ベルト１９を支持している前記２本のローラ（下部の駆動ローラ２０及び上部の従動ローラ２１）のうちの前記上部の従動ローラ２１に対向する２次転写部に挿入される。
【００４３】
中間転写ベルト１９上のトナー像は、前記転写部で用紙１０に対して２次転写が実行される。２次転写後に残った中間転写ベルト１９上の残トナー（不図示）は、中間転写ベルトクリーナ２３により除去される。その後に、定着ユニット１３により、トナー像は用紙１０上に定着され、カラー画像が形成される。また、転写ローラ３６は、通常の画像形成時には中間転写ベルト１９に対して圧接するように配置され、ジャム処理時には非接触になる位置に配置される。
【００４４】
以上説明したように本実施の形態は、複数の感光体ユニットを単独でそれぞれ中間転写体ユニットに位置決め保持される構成とし、あたかも、複数の感光体ユニット８（８ａ〜８ｄ）と前記中間転写体ユニット１８を一体カートリッジとして扱うことが可能にあるため、装置本体への着脱において装置全体を小型化しながら、画像形成ユニットとして十分な強度と精度を確保でき、用紙の厚みや吸湿性などの条件にかかわらず、安定した画質を得ることでき、ジャム発生時の用紙の取り出し作業を容易化できる。さらに、消耗品として適度なサイズとなり、作業スペースも確保でき、画像形成ユニットの交換作業性を向上できる点に特徴を有している。
【００４５】
（実施の形態２）
図５は実施の形態２に係る画像形成部の取付け概要を示す説明図を示す。本実施の形態において、実施の形態１と同様な構成要素については詳細な説明を省略する。図５は複数の感光体２８（２８ａ〜２８ｄ）を単一の筐体（不図示）に固定支持し、感光体ユニット集合体７を構成し、中間転写体ユニット１８の両側面に配設されたユニット側板３３に形成された感光体案内溝３５（３５ａ、３５ｂ）に対して画像形成最上流の感光体２８ａの回転中心軸と画像形成最下流の感光体２８ｄの回転中心軸を沿わせて挿入し、ユニット固定手段３７により前記感光体ユニット集合体７を中間転写体ユニット１８に位置決め保持される構成となっている。複数の感光体ユニット８（８ａ〜８ｄ）を単一のユニット集合体としたため、複数の感光体交換を一度にできるため、消耗品の交換頻度を低減できる。
【００４６】
（実施の形態３）
図６は実施の形態３に係る画像形成部の取付け概要を示す説明図を示す。本実施の形態において、実施の形態１と同様な構成要素については詳細な説明を省略する。
【００４７】
図６は複数の感光体の内、１つの感光体を残し、残りの感光体全てを単一の筐体に固定支持し、感光体ユニット分割集合体４３を構成している。各感光体ユニットの内、感光体ユニット分割集合体４３は中間転写体ユニット１８の両側面に配設されたユニット側板３３に形成された感光体案内溝４５（４５ａ、４５ｂ）に対して画像形成最上流の感光体２８ａの回転中心軸と最下部の感光体２８ｃの回転中心軸を沿わせて中間転写体ユニット１８に位置決め保持され、残りの感光体ユニット４２は中間転写体ユニット１８の両側面に配設されたユニット側板３３に形成された感光体案内溝４４に対して感光体２８ｄの回転中心軸を沿わせて中間転写体ユニット１８に位置決め保持される構成となっている。
【００４８】
これはカラー画像形成装置の印字モードに、モノクロ印字モードとカラー印字モードの２種類があり、使用する頻度が半々であるため、黒色用の感光体ユニット４２とカラー（Ｙ、Ｍ、Ｃ）用感光体ユニット分割集合体４３に分割した方が使用頻度ごとに、感光体交換が可能になるので消耗品としての画像形成ユニットの交換作業性の向上とランニングコストの低減の両立化が可能になるためである。動作については実施の形態２、３は前述と同じなのでここでは省略する。
【００４９】
なお、本発明が上記各実施の形態に限定されず、本発明の技術思想の範囲内において、上記各実施の形態は適宜変更され得ることは明らかである。また上記構成部材の数、位置、形状等は上記各実施の形態に限定されず、本発明を実施する上で好適な数、位置、形状等にすることができる。
【００５０】
【発明の効果】
本発明は以上のように構成されているので、以下に掲げる効果を奏する。まず第１の効果は、複数の感光体ユニットが単独でそれぞれ中間転写体ユニットに位置決め保持される構成としたため、中間転写体ユニットと複数の感光体ユニットが一体的カートリッジとして取り扱うことができる。そのため、装置全体を小型化しながら、画像形成ユニットとして十分な強度と精度を確保でき、用紙の厚みや吸湿性などの条件にかかわらず、安定した画質を得ることでき、ジャム発生時の用紙の取り出し作業を容易化できる。
【００５１】
さらに、消耗品として適度なサイズとなり、作業スペースも確保でき、画像形成ユニットの交換作業性を向上できる点に特徴を有している。
【００５２】
更に、本発明の他の態様によれば、複数の感光体を単一の筐体に固定支持し、感光体ユニット集合体を構成し、中間転写体ユニットに対して前記感光体ユニット集合体を位置決め保持されるため、複数の感光体ユニットを単一のユニット集合体としたため、複数の感光体交換を一度にでき、消耗品の交換頻度を低減できる。
【００５３】
更に、本発明の他の態様によれば、複数の感光体の内、１つの感光体を残し、残りの感光体全てを単一の筐体に固定支持し、感光体ユニット集合体を構成し、前記中間転写ユニットに対して単独の感光体ユニットと前記感光体ユニット集合体とをそれどれ位置決め保持される構成としたためモノクロ印字モードとカラー印字モードの２種類の使用頻度に応じて、感光体交換が可能になるので消耗品としての画像形成ユニットの交換作業性の向上とランニングコストの低減の両立化が可能になる。
【図面の簡単な説明】
【図１】実施の形態１に係る画像形成装置の概要を示す説明図
【図２】実施の形態１で係る画像形成部周辺の概要を示す説明図
【図３】実施の形態１に係る画像形成装置の消耗品着脱の概要を示す説明図
【図４】実施の形態１に係る画像形成部の取付け概要を示す説明図
【図５】実施の形態２に係る画像形成部の取付け概要を示す説明図
【図６】実施の形態３に係る画像形成部の取付け概要を示す説明図
【図７】従来の画像形成装置の概要を示す説明図
【符号の説明】
１（１ａ〜１ｄ）　光学ユニット
２（２ａ〜２ｄ）　ポリゴンミラー
３（３ａ〜３ｄ）　結像レンズ
４（４ａ〜４ｄ）　反射ミラー
５（５ａ〜５ｄ）　画像形成ユニット
６（６ａ〜６ｄ）　現像ユニット
７　感光体ユニット集合体
８（８ａ〜８ｄ）　感光体ユニット
９　用紙カセット
１０　転写材（用紙）
１１　フィードロール
１２　レジストローラ
１３　定着装置
１４　排紙ロール
１５　加熱ロール
１６　加圧ロール
１７　開閉扉
１８　中間転写体ユニット
１９　中間転写ベルト
２０　ベルト駆動ローラ
２１　ベルト従動ローラ
２２　ベルトバックアップローラ
２４　現像ユニット集合体
２５　現像ロール
２７　現像フレーム
２８　感光体
２９　帯電ロール
３０　クリーニングロール
４０　トナーホッパー
【図１】
2004145060.tif 000003
【図２】
2004145060.tif 000004
【図３】
2004145060.tif 000005
【図４】
2004145060.tif 000006
【図５】
2004145060.tif 000007
【図６】
2004145060.tif 000008
【図７】
2004145060.tif 000009